(57)【要約】【課題】利用者に忘れ物を詳細に通知して忘れ物を防止することができる忘れ物防止システムを得る。【解決手段】無線媒体検出装置が、利用者が利用施設に入場するか退場するかの利用者状況データを作成し、また、利用者ＩＤ無線媒体と持ち物ＩＤ無線媒体を検出する。そして、ホストサーバが、無線媒体検出装置から、利用者ＩＤ無線媒体の利用者情報と、持ち物ＩＤ無線媒体の持ち物情報と、利用者状況データを受信し持ち物管理データベースに登録し、利用者が利用施設へ入場する際と退場の際に所持する持ち物が異なる場合を判定して利用者に通知する忘れ物防止システムを用いる。【選択図】図１
2018165900.tif 000002
【特許請求の範囲】
【請求項１】
利用者が所持する利用者ＩＤ無線媒体と、手荷物に設けた持ち物ＩＤ無線媒体と、利用施設の入退場門に設置した無線媒体検出装置と、前記無線媒体検出装置に接続するホストサーバを備えた忘れ物防止システムであって、
前記無線媒体検出装置は、利用者が利用施設に入場するか退場するかの利用者状況データを作成する手段と、前記利用者ＩＤ無線媒体と前記持ち物ＩＤ無線媒体を検出する手段と、利用者への通知手段を備え、
前記ホストサーバは、前記無線媒体検出装置から、前記利用者ＩＤ無線媒体の利用者情報と、前記持ち物ＩＤ無線媒体の持ち物情報と、前記利用者状況データとを受信し登録する持ち物管理データベースを備え、
利用者が利用施設へ入場する際と退場の際に所持する持ち物情報の差異を算出する忘れ物判定手段を備える
ことを特徴とする忘れ物防止システム。
【請求項２】
請求項１記載の忘れ物防止システムであって、前記無線媒体検出装置が、前記利用施設の入退場門に設置したＲＦタグリーダアンテナに接続するＲＦタグリーダを有することを特徴とする忘れ物防止システム。
【請求項３】
請求項２記載の忘れ物防止システムであって、前記利用者ＩＤ無線媒体と前記持ち物ＩＤ無線媒体が前記ＲＦタグリーダに検出されることを特徴とする忘れ物防止システム。
【請求項４】
利用者が所持する利用者ＩＤ無線媒体と、手荷物に設けた持ち物ＩＤ無線媒体と、利用施設の入退場門に設置した無線媒体検出装置と、前記無線媒体検出装置に接続するホストサーバを用いる忘れ物防止方法であって、
前記無線媒体検出装置が、利用者が利用施設に入場するか退場するかの利用者状況データを作成し、かつ、前記利用者ＩＤ無線媒体と前記持ち物ＩＤ無線媒体を検出し、
前記ホストサーバが、前記無線媒体検出装置から、前記利用者ＩＤ無線媒体の利用者情報と、前記持ち物ＩＤ無線媒体の持ち物情報と、前記利用者状況データを受信し持ち物管理データベースに登録し、
前記ホストサーバが、前記持ち物管理データベースのデータから、利用者が利用施設へ入場する際と退場の際に所持する持ち物が異なる場合を判定して利用者に通知する
ことを特徴とする忘れ物防止方法。
【請求項５】
請求項４記載の忘れ物防止方法であって、前記無線媒体検出装置のＲＦタグリーダに接続するＲＦタグリーダアンテナを前記利用施設の入退場門に設置し、前記利用者ＩＤ無線媒体と前記持ち物ＩＤ無線媒体を検出することを特徴とする忘れ物防止方法。
【発明の詳細な説明】
【技術分野】
【０００１】
本発明は、幼稚園や小学校等へ通園・通学をする児童等が、利用施設に持ち物の忘れ物をし、あるいは、他人の持ち物を自分の持ち物と間違えて持ち帰るトラブルを防止する忘れ物防止システム及び忘れ物防止方法に関する。
【背景技術】
【０００２】
従来、忘れ物を防止するシステムとして、特許文献１で、手荷物の持ち主が所定の場所を通過する際に忘れ物があるか否かを判定して、忘れ物を持ち主に知らせる忘れ物防止システムが提案されていた。
【０００３】
この忘れ物防止システムでは、利用施設に入場する利用者の非接触ＩＣカードの記憶手段に手荷物の情報を記憶させておき、利用者の持ち物預かり所が、利用者の預けた持ち物に添付されている無線ＩＣタグ読み取り装置を備え、利用者が利用施設を退場する際に、利用者の非接触ＩＣカードが記憶している利用者の持ち物の無線ＩＣタグを持ち物預かり所内で探索する。持ち物預かり所の無線ＩＣタグ読み取り装置が利用者の持ち物の無線ＩＣタグを検出した場合に、利用者に忘れ物がある旨を警告する。
【先行技術文献】
【特許文献】
【０００４】
【特許文献１】特開２００８−１４０１９６号公報
【発明の概要】
【発明が解決しようとする課題】
【０００５】
しかし、特許文献１では、利用者の非接触ＩＣカードの記憶手段に手荷物の情報を記憶させるため、システムが複雑になり、コスト高になる問題があった。
【０００６】
そこで、本発明の課題は、利用者のＩＤを記録した無線媒体には、手荷物の情報を記憶せずシステムを簡易化してシステムの導入コストを低くするとともに、利用者の持ち物の情報を詳細に登録でき、利用者に忘れ物を適切に通知して忘れ物を防止する忘れ物防止システムを提供することを課題とする。
【課題を解決するための手段】
【０００７】
上記の課題を解決するために、本発明は、利用者が所持する利用者ＩＤ無線媒体と、手荷物に設けた持ち物ＩＤ無線媒体と、利用施設の入退場門に設置した無線媒体検出装置と、前記無線媒体検出装置に接続するホストサーバを備えた忘れ物防止システムであって、前記無線媒体検出装置は、利用者が利用施設に入場するか退場するかの利用者状況データを作成する手段と、前記利用者ＩＤ無線媒体と前記持ち物ＩＤ無線媒体を検出する手段と、利用者への通知手段を備え、
前記ホストサーバは、前記無線媒体検出装置から、前記利用者ＩＤ無線媒体の利用者情報と、前記持ち物ＩＤ無線媒体の持ち物情報と、前記利用者状況データとを受信し登録する持ち物管理データベースを備え、
利用者が利用施設へ入場する際と退場の際に所持する持ち物情報の差異を算出する忘れ物判定手段を備える
ことを特徴とする忘れ物防止システムである。
【０００８】
本発明は、この構成により、利用者が忘れ物をして、利用施設へ入場する際と退場の際に所持する持ち物が異なる場合を検出して利用者に通知することができ、利用者の忘れ物
を防止できる効果がある。
【０００９】
また、本発明は、上記の忘れ物防止システムであって、前記無線媒体検出装置が、前記利用施設の入退場門に設置したＲＦタグリーダアンテナに接続するＲＦタグリーダを有することを特徴とする忘れ物防止システムである。
【００１０】
また、本発明は、上記の忘れ物防止システムであって、前記利用者ＩＤ無線媒体と前記持ち物ＩＤ無線媒体が前記ＲＦタグリーダに検出されることを特徴とする忘れ物防止システムである。
【００１１】
また、本発明は、利用者が所持する利用者ＩＤ無線媒体と、手荷物に設けた持ち物ＩＤ無線媒体と、利用施設の入退場門に設置した無線媒体検出装置と、前記無線媒体検出装置に接続するホストサーバを用いる忘れ物防止方法であって、
前記無線媒体検出装置が、利用者が利用施設に入場するか退場するかの利用者状況データを作成し、かつ、前記利用者ＩＤ無線媒体と前記持ち物ＩＤ無線媒体を検出し、
前記ホストサーバが、前記無線媒体検出装置から、前記利用者ＩＤ無線媒体の利用者情報と、前記持ち物ＩＤ無線媒体の持ち物情報と、前記利用者状況データを受信し持ち物管理データベースに登録し、
前記ホストサーバが、前記持ち物管理データベースのデータから、利用者が利用施設へ入場する際と退場の際に所持する持ち物が異なる場合を判定して利用者に通知する
ことを特徴とする忘れ物防止方法である。
【００１２】
また、本発明は、上記の忘れ物防止方法であって、前記無線媒体検出装置のＲＦタグリーダに接続するＲＦタグリーダアンテナを前記利用施設の入退場門に設置し、前記利用者ＩＤ無線媒体と前記持ち物ＩＤ無線媒体を検出することを特徴とする忘れ物防止方法である。
【発明の効果】
【００１３】
本発明は、無線媒体検出装置が、利用者が利用施設に入場するか退場するかの利用者状況データを作成し、また、利用者ＩＤ無線媒体と持ち物ＩＤ無線媒体を検出する。そして、ホストサーバが、無線媒体検出装置から、利用者ＩＤ無線媒体の利用者情報と、持ち物ＩＤ無線媒体の持ち物情報と、利用者状況データを受信し持ち物管理データベースに登録し、利用者が忘れ物をして、利用施設へ入場する際と退場の際に所持する持ち物が異なる場合を検出して利用者に通知する。それにより、本発明により、利用者の忘れ物を防止できる効果がある。
【図面の簡単な説明】
【００１４】
【図１】本発明の実施形態の忘れ物防止システムのブロック図である。
【図２】本発明の実施形態の忘れ物防止システムのホストサーバ１００の持ち物管理データベース１１０に登録される情報を示す図である。
【図３】本発明の実施形態の忘れ物防止システムの処理手順を示すフローチャート（その１）である。
【図４】本発明の実施形態の忘れ物防止システムの処理手順を示すフローチャート（その２）である。
【図５】本発明の実施形態の忘れ物防止システムの処理手順を示すフローチャート（その３）である。
【図６】本発明の実施形態の忘れ物防止システムの、無線媒体検出装置がホストサーバ１００の持ち物管理データベース１１０に登録する利用者情報と持ち物情報を示す図である。
【発明を実施するための形態】
【００１５】
以下、本発明の実施形態の忘れ物防止システムについて、図面に基づいて詳細に説明する。図１は、本実施形態における忘れ物防止システムのブロック図、図２は、本実施形態のホストサーバ１００の持ち物管理データベース１１０の登録情報を示す図、図３は、本実施形態の忘れ物防止システムの処理手順を示すフローチャートである。
【００１６】
本発明の忘れ物防止システムは、利用者２を識別するためのＲＦＩＤタグ（無線ＩＣタグ）等の利用者ＩＤ無線媒体１０と、利用者２の持ち物１に添付して持ち物を識別するためのＲＦＩＤタグ等の持ち物ＩＤ無線媒体２０を用いる。そして、利用施設３に無線媒体検出装置３０を設置し、利用施設３の入退場門に、無線媒体検出装置３０のＲＦタグリーダ３１に接続したＲＦタグリーダアンテナ３ａを設置する。
【００１７】
持ち物１に設けられた持ち物ＩＤ無線媒体２０は、持ち物１の所定位置に固定し、又は、取り外し可能に添付してもよい。
【００１８】
また、図１に示すように、本発明の忘れ物防止システムは、パーソナルコンピュータなどの利用者端末装置２００が、利用者２と持ち物１の情報を通信ネットワーク３００を介してホストサーバ１００に送信し、ホストサーバ１００の持ち物管理データベース１１０に情報を登録させる。
【００１９】
無線媒体検出装置３０は、ＲＦタグリーダ３１を用いて、入退場門を通過する利用者２と持ち物１を検出し、その情報を通信ネットワーク３００を介してホストサーバ１００に送信し、ホストサーバ１００の持ち物管理データベース１１０に情報を登録させる。
【００２０】
利用施設３の入退場門に、無線媒体検出装置３０に接続するＲＦタグリーダアンテナ３ａを設置し、無線媒体検出装置３０が利用者２と利用者２の持ち物１を検出してホストサーバ１００に情報を送信し、ホストサーバ１００が、その情報を持ち物管理データベース１１０で記憶して、利用者２と利用者２の持ち物１の入退出を管理する。
【００２１】
利用施設３の入退場門では、無線媒体検出装置３０のＲＦタグリーダ３１に接続し入退場門に設置したＲＦタグリーダアンテナ３ａからＲＦタグに通信要求電波を送信する。この通信要求電波を、利用者２の持ち物１に設けられた持ち物ＩＤ無線媒体２０が受信し、その持ち物ＩＤ無線媒体２０が応答電波を送信し、無線媒体検出装置３０のＲＦタグリーダ３１が応答電波を受信することで、利用者２が利用施設３内に持ち込んだ持ち物１を調べる。
【００２２】
つまり、持ち物１に添付した持ち物ＩＤ無線媒体２０が、利用施設３のＲＦタグリーダアンテナ３ａが設置された入退場門を通る際に、無線媒体検出装置３０のＲＦタグリーダ３１がＲＦタグリーダアンテナ３ａから送信する通信要求電波に対して応答することで、利用施設３の入退場門を通る持ち物１が調べられる。
【００２３】
次に、本発明の実施形態の忘れ物防止システムのシステム構成を、図１に基づいて説明する。
【００２４】
（利用者ＩＤ無線媒体１０）
利用者ＩＤ無線媒体１０として無線ＩＣタグを用いる。利用者ＩＤ無線媒体１０を利用者２の身に付けて利用者２に所持させる。利用者ＩＤ無線媒体１０の記憶手段には、利用者情報（利用者２のＩＤ情報）が記憶されている。また、必要により、利用者２の連絡先情報を記憶しても良い。
【００２５】
利用者２が身に付けて所持する利用者ＩＤ無線媒体１０が、利用施設３のＲＦタグリーダアンテナ３ａを設置した入退場門を通過すると、利用者ＩＤ無線媒体１０がＲＦタグリーダアンテナ３ａから受信した電力により利用者ＩＤ無線媒体１０内部の各回路に電源を供給し、返信信号の電波を送信する。それにより、無線媒体検出装置３０のＲＦタグリーダ３１が利用者ＩＤ無線媒体１０を検出して利用者２を識別する。
【００２６】
（持ち物ＩＤ無線媒体２０）
持ち物ＩＤ無線媒体２０として無線ＩＣタグを用いる。持ち物ＩＤ無線媒体２０は持ち物１に添付する。持ち物ＩＤ無線媒体２０はＩＤ情報を記憶し、ＲＦタグリーダアンテナ３ａから受信した電力により持ち物ＩＤ無線媒体２０内部の各回路に電源を供給し、返信信号の電波を送信する。
【００２７】
持ち物ＩＤ無線媒体２０には、持ち物ＩＤ無線媒体２０毎に固有のＩＤ情報が記憶されている。持ち物ＩＤ無線媒体２０は、ＲＦタグリーダアンテナ３ａから送信された通信要求電波を受信した際に、記憶しているＩＤ情報等を応答電波として送信する。
【００２８】
（無線媒体検出装置３０）
利用施設３の利用者が出入りする入退場門に無線媒体検出装置３０を備える。無線媒体検出装置３０のＲＦタグリーダ３１に接続するＲＦタグリーダアンテナ３ａを入退場門に設置する。無線媒体検出装置３０は、ＲＦタグリーダ３１と、ホストサーバ１００と通信する通信手段３２と、利用者に忘れ物を通知する通知手段３３を有する。
【００２９】
（ＲＦタグリーダ３１）
無線媒体検出装置３０のＲＦタグリーダ３１は、それに接続するＲＦタグリーダアンテナ３ａから無線で、利用者ＩＤ無線媒体１０、又は、利用者２の持ち物１に添付された持ち物ＩＤ無線媒体２０に、電力を供給しつつ、それらのＲＦタグの情報を受信する。
【００３０】
すなわち、利用者ＩＤ無線媒体１０から利用者情報（利用者ＩＤ情報）を受信し、利用者２の持ち物１に添付された持ち物ＩＤ無線媒体２０からＩＤ情報を受信する。
【００３１】
（利用者の検出）
詳しくは、無線媒体検出装置３０のＲＦタグリーダ３１が、利用施設３からＲＦタグリーダアンテナ３ａを設置した入退場門を通る利用者２の利用者ＩＤ無線媒体１０を読み取ることで、入退場門を通る利用者２を検出する。
【００３２】
（利用者の持ち物の検出）
また、利用者２が無線媒体検出装置３０のＲＦタグリーダ３１に接続したＲＦタグリーダアンテナ３ａを設置した入退場門を通過する際に、利用者２の持ち物１の持ち物ＩＤ無線媒体２０は、ＲＦタグリーダアンテナ３ａから無線電力が供給されることにより動作して、ＲＦタグリーダ３１にＩＤ情報を送信する。それにより、ＲＦタグリーダ３１が利用者２の持ち物１の持ち物ＩＤ無線媒体２０のＩＤ情報を受信することで、利用者２の持ち物１を検出する。
【００３３】
（通信手段３２）
無線媒体検出装置３０の通信手段３２は、通信ネットワーク３００を介してホストサーバ１００と通信し、無線媒体検出装置３０が利用者２の利用者ＩＤ無線媒体１０から読み取った利用者情報と、利用者の持ち物１に添付された持ち物ＩＤ無線媒体２０から読み取ったＩＤ情報を、ホストサーバ１００に送信する。
【００３４】
すなわち、無線媒体検出装置３０は、ＲＦタグリーダ３１が読み取った、持ち物ＩＤ無
線媒体２０のＩＤ情報と、利用者ＩＤ無線媒体１０の利用者情報を関連付けた情報と、又、利用者２が利用施設３に入退したか退場したかの利用者状況を示す情報とを、通信ネットワーク３００を介してホストサーバ１００に送信する。
【００３５】
（通知手段３３）
無線媒体検出装置３０の通知手段３３は、ホストサーバ１００から無線媒体検出装置３０に通知された利用者の忘れ物情報を、利用者に通知する。通知手段３３は、スピーカからの音声や光の信号で利用者２に忘れ物を通知する手段を備える。
【００３６】
（ホストサーバ１００）
ホストサーバ１００は、持ち物管理データベース１１０と、忘れ物判定手段１２０と、忘れ物通知手段１３０を備える。
【００３７】
（持ち物管理データベース１１０）
ホストサーバ１００は、利用施設３の管理者から利用者２の利用者情報と連絡先情報を受け取り、持ち物管理データベース１１０で記憶する。
【００３８】
（利用者情報の登録）
ホストサーバ１００が登録する利用者情報は、例えば、ユーザーを特定する利用者ＩＤ情報等のユーザーコード、住所、氏名、電話番号、生年月日などの情報である。また、利用者２の連絡先情報として、利用者２毎の都合に応じて、電話番号、メールアドレスなどを登録することができる。これらの利用者情報のデータを、図２（ｂ）のように、持ち物管理データベース１１０で記憶する。
【００３９】
また、忘れ物防止システムのサービス提供者は、ホストサーバ１００の持ち物管理データベース１１０に登録した利用者２用の利用者ＩＤ無線媒体１０を発行し、その利用者ＩＤ無線媒体１０を利用施設３の管理者又は利用者に送付する。
【００４０】
（持ち物情報の登録）
ホストサーバ１００は、利用者２の利用者端末装置２００から、通信ネットワーク３００を介して、利用者ＩＤ無線媒体１０の利用者ＩＤ情報に紐付けた、利用者２の持ち物１に添付する持ち物ＩＤ無線媒体２０のＩＤ情報と持ち物１の名称等の持ち物情報を受信する。
【００４１】
ホストサーバ１００は、その利用者端末装置２００から受信した情報に従い、持ち物管理データベース１１０に、図２（ｂ）のような利用者情報と持ち物情報のデータを記憶する。例えば、利用者２の持ち物１が、カバン、傘、など複数ある場合には、それぞれの持ち物１の持ち物ＩＤ無線媒体２０毎に持ち物情報の登録を行う。
【００４２】
また、ホストサーバ１００は、利用者２が入退場門を通過する毎に、無線媒体検出装置３０から受信した情報に従い、持ち物管理データベース１１０に利用者２と持ち物１の状況のデータを更新して記憶する。
【００４３】
利用者２と持ち物１の状況のデータは、図２（ａ）の様に、利用者ＩＤ無線媒体１０のＩＤ番号と、利用者名と、利用者状況の情報と、持ち物１の持ち物ＩＤ無線媒体２０のＩＤ情報（持ち物ＲＦＩＤ媒体のＩＤ番号）と、持ち物名のリストを記憶する。
【００４４】
ホストサーバ１００は、持ち物管理データベース１１０に登録されている利用者２の持ち物１の名称などの情報から、持ち物ＩＤ無線媒体２０が添付された持ち物１がどのような物であるのかを判定することができる。
【００４５】
（無線媒体検出装置３０から持ち物情報受信）
利用施設３の入退場門に設置した無線媒体検出装置３０は、利用者２の利用者ＩＤ無線媒体１０の利用者情報と、利用者２の持ち物１に添付された持ち物ＩＤ無線媒体２０のＩＤ情報と、利用者２が利用施設３に入退したか退場したかの利用者状況を示す情報との、利用者２と持ち物１の状況のデータをホストサーバ１００に送信する。
【００４６】
ホストサーバ１００は、無線媒体検出装置３０から受信した利用者２と持ち物１の状況のデータを持ち物管理データベース１１０に図２（ａ）のように記憶する。そして、利用者２が入場した場合は、図２（ａ）の、利用者状況が”入場”である利用者２と持ち物１の状況のデータを更新する。
【００４７】
利用者２が退場した場合は、図２（ａ）の、利用者状況が”退場”である利用者２と持ち物１の状況のデータを更新する。こうして、ホストサーバ１００が、利用者２が利用施設３に持ち込んだ持ち物１の管理を行う。
【００４８】
（入場処理）
ホストサーバ１００は、利用者２が、ＲＦタグリーダアンテナ３ａを設置した入退場門を通って利用施設３に入場する際に、通信ネットワーク３００を介して、無線媒体検出装置３０から、利用者２の利用者ＩＤ無線媒体１０から読み取られた利用者情報（利用者ＩＤ情報）と、持ち物１に添付された持ち物ＩＤ無線媒体２０のＩＤ情報と、利用者２が利用施設３に入退した利用者状況を示す情報とを受信し、持ち物管理データベース１１０に登録する。
【００４９】
（退場処理）
ホストサーバ１００は、利用者２が、ＲＦタグリーダアンテナ３ａを設置した入退場門を通って退出する際に、通信ネットワーク３００を介して、無線媒体検出装置３０から、利用者２の利用者ＩＤ無線媒体１０から読み取られた利用者情報（利用者ＩＤ情報）と、持ち物１に添付された持ち物ＩＤ無線媒体２０のＩＤ情報と、利用者２が利用施設３から退場した利用者状況を示す情報とを受信し、持ち物管理データベース１１０に記憶する。
【００５０】
（忘れ物判定手段１２０）
ホストサーバ１００の忘れ物判定手段１２０は、利用者２の退場時に、利用者２の入場時の持ち物１の持ち物ＩＤ無線媒体２０のＩＤ情報と退場時の持ち物１の持ち物ＩＤ無線媒体２０のＩＤ情報を比較する比較処理を行う。
【００５１】
そして、持ち物管理データベース１１０に記憶された入場時の持ち物１の持ち物ＩＤ無線媒体２０のＩＤ情報と退場時の持ち物１の持ち物ＩＤ無線媒体２０のＩＤ情報が全て一致するか否かに基づき、比較結果に差があるか否かを判定する。
【００５２】
忘れ物判定手段１２０は、持ち物管理データベース１１０に記憶された入場時の持ち物１の持ち物ＩＤ無線媒体２０のＩＤ情報と退場時の持ち物１の持ち物ＩＤ無線媒体２０のＩＤ情報が全て一致する場合、比較結果に差がないと判定し、利用者に忘れ物がないと判定する。
【００５３】
忘れ物判定手段１２０は、持ち物管理データベース１１０に記憶された入場時の持ち物１の持ち物ＩＤ無線媒体２０のＩＤ情報と退場時の持ち物１の持ち物ＩＤ無線媒体２０のＩＤ情報が一部でも異なる場合、比較結果に差があると判定し、利用者２に忘れ物があると判定する。
【００５４】
ホストサーバ１００は、忘れ物判定手段１２０が、利用者２に忘れ物があると判定した場合は、忘れ物通知手段１３０が、利用者２が通過している入退場門の無線媒体検出装置３０に対して、利用者２に警告を通知すべき旨の警告情報を送信する。
【００５５】
（警告通知処理）
無線媒体検出装置３０は、ホストサーバ１００から、利用者２に警告を通知すべき旨の警告情報を受信した場合は、無線媒体検出装置３０が、通知手段３３に警告音を発生させるなどの警告処理を行わせることで、忘れ物がある等の情報を利用者２に知らせる。通知手段３３による警告処理は、警告音に限定されるものではなく、表示ランプをつける等の種々の警告処理を行うようにしてもよい。
【００５６】
これにより、例えば、利用者２が入場時と異なる他人の持ち物１を持って退場しようとした場合に、無線媒体検出装置３０が、通知手段３３に警告音を発生させるなどの警告処理を行わせることで、忘れ物がある等の情報を利用者２に知らせる。
【００５７】
ホストサーバ１００の忘れ物通知手段１３０は、利用者２が忘れた、又は、誤って持ち出した他人の持ち物１の詳細な持ち物情報を無線媒体検出装置３０に送信することができる。無線媒体検出装置３０は、その詳細な持ち物情報を通知手段３３を用いて利用者２に通知することができる。
【００５８】
それにより、利用者２が具体的にどの持ち物１を忘れたか、あるいは間違えて持ち出したかを知ることができる。
【００５９】
また、利用者２の退場に付き添う管理者も、通知手段３３からの通知により、利用者２が忘れ物をしたか、又は、誤って他人の持ち物１を持ち帰っていることを知ることができ、利用者２が忘れた持ち物１を確実に利用者２に持ち帰らせる対応を行え、利用者２の忘れ物を防止することができる。
【００６０】
（利用者端末装置２００）
利用者端末装置２００は、利用者２用の利用者ＩＤ無線媒体１０と持ち物ＩＤ無線媒体２０を読み取るＲＦタグリーダ２１０を備える。
【００６１】
利用者２は、利用者２の所有する持ち物１の登録処理として、利用者端末装置２００のＲＦタグリーダ２１０で、利用者２用の利用者ＩＤ無線媒体１０と持ち物１に添付する持ち物ＩＤ無線媒体２０の情報を読取り、利用者２の利用者ＩＤ無線媒体１０の利用者ＩＤ情報と持ち物ＩＤ無線媒体２０のＩＤ情報に紐付けた持ち物情報を作成する。
【００６２】
そして、利用者端末装置２００は、利用者ＩＤ無線媒体１０と持ち物ＩＤ無線媒体２０と持ち物情報を紐付けたデータを、通信ネットワーク３００を介して、ホストサーバ１００に送信する。
【００６３】
ホストサーバ１００を管理する忘れ物防止システムのサービス提供者は、利用者端末装置２００用の専用プログラムを提供する。この専用プログラムの提供方法の１つは、利用者２が、利用者端末装置２００に、ホストサーバ１００が管理するホームページから専用プログラムをダウンロードすることができるようにして提供することができる。
【００６４】
この専用プログラムをインストールした利用者端末装置２００が、利用者ＩＤ無線媒体１０の利用者ＩＤ情報にその他の利用者情報を紐付け、また、利用者ＩＤ情報に紐付けた持ち物ＩＤ無線媒体２０のＩＤ情報に紐付けた持ち物情報のデータを作成する。そして、その利用者情報と持ち物情報のデータを通信ネットワーク３００を介してホストサーバ１
００に送信し、持ち物管理データベース１１０に利用者２と持ち物１の情報を登録する。
【００６５】
ここで、利用者端末装置２００は、利用施設３の管理者が保持する利用者端末装置２００を管理者が使って、利用者２に代わって、利用者ＩＤ無線媒体１０の利用者ＩＤ情報に、利用者情報と、持ち物ＩＤ無線媒体２０のＩＤ情報と持ち物情報とを紐付けたデータを作成し、通信ネットワーク３００を介してホストサーバ１００に送信して持ち物管理データベース１１０に登録することもできる。
【００６６】
（管理者の利用者端末装置２００）
利用施設３の管理者の保持する利用者端末装置２００は、利用施設３の利用者２の利用者情報と連絡先情報をホストサーバ１００に送信してホストサーバ１００の持ち物管理データベース１１０に利用者２を登録する。
【００６７】
また、利用施設３の管理者の利用者端末装置２００は、利用者２が利用施設３に入場済みか、あるいは退場済みかの利用者２の所在の情報をホストサーバ１００に送信してホストサーバ１００の持ち物管理データベース１１０に登録することができる。
【００６８】
更に、利用施設３の管理者の利用者端末装置２００は、持ち物ＩＤ無線媒体２０がどの利用者２の所有する持ち物１に添付された持ち物ＩＤ無線媒体２０であるか、持ち物１が所属する利用者２の情報をホストサーバ１００に送信し、ホストサーバ１００の持ち物管理データベース１１０に登録することができる。
【００６９】
（処理手順）
次に、本発明の実施形態の忘れ物防止システムの処理手順を、図４のフローチャート図に基づいて説明する。
【００７０】
（ステップＳ１）利用者情報登録依頼処理
まず、利用施設３の管理者は、新しい利用者２を登録する場合に、管理者の利用者端末装置２００から、忘れ物防止システムのサービス提供者に、利用施設３の利用者２の利用者情報及び利用者の連絡先情報を送信して、新しい利用者２用の利用者ＩＤ無線媒体１０の発行を依頼する。
【００７１】
（ステップＳ２）利用者情報の登録
サービス提供者は、利用施設３の管理者からの利用者ＩＤ無線媒体１０の発行依頼に関る情報をもとに、ホストサーバ１００の持ち物管理データベース１１０に、利用者ＩＤ無線媒体１０の利用者情報及び利用者の連絡先情報を登録する。
【００７２】
（ステップＳ３）利用者２用の利用者ＩＤ無線媒体１０の発行
そして、サービス提供者のホストサーバ１００は、登録した利用者２用の利用者ＩＤ無線媒体１０を発行し、利用施設３の管理者又は利用者２に送付する。
【００７３】
また、サービス提供者は、利用者２の持ち物１に添付させる持ち物ＩＤ無線媒体２０を、利用施設３の管理者又は利用者２に送付する。
【００７４】
（ステップＳ４）持ち物情報の登録
利用者２は、利用者２の利用者端末装置２００に、利用者２の持ち物１に添付する持ち物ＩＤ無線媒体２０のＩＤ情報を読み込ませ、利用者ＩＤ無線媒体１０のＩＤ番号に紐つけた持ち物１の持ち物名及び持ち物ＩＤ無線媒体２０のＩＤ情報などの持ち物情報を作成する。
【００７５】
そして、その持ち物情報を通信ネットワーク３００を介して、ホストサーバ１００に送信し、ホストサーバ１００の持ち物管理データベース１１０に、図２（ｂ）のような、利用者２の所有する持ち物１の情報を登録する。
【００７６】
ホストサーバ１００は、利用者２の利用者端末装置２００から受信した利用者２の持ち物１に添付する持ち物ＩＤ無線媒体２０のＩＤ情報と持ち物１の持ち物名などの持ち物情報を、利用者情報に関連させた図２（ｂ）のような情報を持ち物管理データベース１１０で記憶する。
【００７７】
（利用施設３への入退場処理）
次に、利用者２が持ち物１を持って利用施設３へ入退場する際に、以下の処理を行う。
【００７８】
（ステップＳ１１）入場処理
利用者２がＲＦタグリーダアンテナ３ａを設置した入退場門を通って利用施設３に入場する際に、ＲＦタグリーダアンテナ３ａに接続した無線媒体検出装置３０のＲＦタグリーダ３１が、利用者ＩＤ無線媒体１０から利用者情報を読み取り、同時に、利用者２の持ち物１に添付された持ち物ＩＤ無線媒体２０からＩＤ情報を読み取り、利用者２の利用施設３への入場を示す利用者状況データを作成する。
【００７９】
（ステップＳ１２）
次に、無線媒体検出装置３０が、図６（ａ）のような、利用者ＩＤ無線媒体１０から読み取った利用者ＩＤ情報と、持ち物ＩＤ無線媒体２０から読み取ったＩＤ情報と、利用者２の入場を示す利用者状況データをホストサーバ１００に送信する。
【００８０】
ホストサーバ１００は、無線媒体検出装置３０から受信した、利用者ＩＤ無線媒体１０の利用者ＩＤ情報と持ち物ＩＤ無線媒体２０のＩＤ情報と、利用者２が利用施設３に入退したか退場したかの利用者状況を示す情報とを関係付けた図２（ａ）のような情報を、持ち物管理データベース１１０で記憶する。
【００８１】
（ステップＳ１３）退場処理
その後、利用者２がＲＦタグリーダアンテナ３ａを設置した入退場門を通り利用施設３から退場する際に、ＲＦタグリーダアンテナ３ａに接続した無線媒体検出装置３０のＲＦタグリーダ３１が、利用者ＩＤ無線媒体１０から利用者情報を読み取り、同時に、利用者２の持ち物１に添付された持ち物ＩＤ無線媒体２０からＩＤ情報を読み取り、利用者２の利用施設３からの退場を示す利用者状況データを作成する。
【００８２】
（ステップＳ１４）
次に、無線媒体検出装置３０が、図６（ｂ）のような、利用者ＩＤ無線媒体１０から読み取った利用者ＩＤ情報と、持ち物ＩＤ無線媒体２０から読み取ったＩＤ情報と、利用者２の退場を示す利用者状況データをホストサーバ１００に送信する。
【００８３】
ホストサーバ１００は、無線媒体検出装置３０から受信した、利用者ＩＤ無線媒体１０の利用者ＩＤ情報と持ち物ＩＤ無線媒体２０のＩＤ情報と、利用者２が利用施設３に入退したか退場したかの利用者状況を示す情報とを関係付けた情報を、持ち物管理データベース１１０で記憶する。
【００８４】
（ステップＳ１５）忘れ物判定処理
ホストサーバ１００の忘れ物判定手段１２０が、持ち物管理データベース１１０が記憶している、図６（ｂ）のような利用者２の退場時のデータに記録された持ち物ＩＤ無線媒体２０のＩＤ情報を、図６（ａ）のような利用者２の入場時のデータに記録された持ち物
ＩＤ無線媒体２０のＩＤ情報と比較する。
【００８５】
忘れ物判定手段１２０は、利用者２の入場時の持ち物ＩＤ無線媒体２０のＩＤ情報と退場時の持ち物ＩＤ無線媒体２０のＩＤ情報が全て一致する場合、比較結果に差がないと判定し、利用者２の忘れ物がないと判定する。
【００８６】
（ステップＳ１６）忘れ物の通知処理
忘れ物判定手段１２０は、利用者２の入場時の持ち物ＩＤ無線媒体２０のＩＤ情報と退場時の持ち物ＩＤ無線媒体２０ＩＤ情報が一部でも異なる場合、比較結果に差があると判定し、利用者２の忘れ物があると判定する。
【００８７】
その場合は、忘れ物通知手段１３０が、無線媒体検出装置３０に対して、利用者２に忘れ物の警告情報を送信する。図６のように、利用者２のＡ太郎の退場時の持ち物１のデータの図６（ｂ）が、入場時の持ち物１のデータの図６（ａ）と比較して、弁当箱の持ち物１の持ち物ＩＤ無線媒体２０のＩＤ情報が足りない場合は、入場時の図６（ａ）のデータの２番目のデータが示す持ち物１を忘れた旨の、忘れ物の警告情報を無線媒体検出装置３０に送信する。
【００８８】
（ステップＳ１７）
無線媒体検出装置３０は、ホストサーバ１００から忘れ物の警告情報を受信した場合に、通知手段３３から、利用者に対して忘れ物の情報を通知する。すなわち、「Ａ太郎が退場時に弁当箱を忘れています。」と言う通知を利用者２に通知する。
【００８９】
以上の処理により、利用者２が利用施設３から退場しようとしてＲＦタグリーダアンテナ３ａを設置した入退場門から出ようとした際に、持ち物１を持ち忘れた場合や持ち物１を間違えて持ち帰ろうとした場合に利用者２に知らせることができ、利用者２の忘れ物を予防できる。
【００９０】
また、本発明は、上記の実施形態に限定されず、利用者２が身に着ける利用者ＩＤ無線媒体１０、及び、利用者２の持ち物１に添付する持ち物ＩＤ無線媒体２０は、必ずしも無線ＩＣタグに限定されるものではなく、その他にも、Ｂｌｕｅｔｏｏｔｈ(登録商標）、ＺｉｇＢｅｅ（登録商標）などの無線デバイスを用いることもできる。更に、利用者ＩＤ無線媒体１０として非接触ＩＣカードを用いることもできる。
【００９１】
また、本発明のホストサーバ１００は、利用施設外のシステムに限定されず、ホストサーバ１００を利用施設内に設置したコンピュータで構成し、有ホストサーバ１００を線通信手段で無線媒体検出手段３０に接続して用いることもできる。
【符号の説明】
【００９２】
１・・・持ち物
２・・・利用者
３・・・利用施設
３ａ・・・ＲＦタグリーダアンテナ
１０・・・利用者ＩＤ無線媒体
２０・・・持ち物ＩＤ無線媒体
３０・・・無線媒体検出装置
３１・・・ＲＦタグリーダ
３２・・・通信手段
３３・・・通知手段
１００・・・ホストサーバ
１１０・・・持ち物管理データベース
１２０・・・忘れ物判定手段
１３０・・・忘れ物通知手段
２００・・・利用者端末装置
２１０・・・ＲＦタグリーダ
３００・・・通信ネットワーク
【図１】
2018165900.tif 000003
【図２】
2018165900.tif 000004
【図３】
2018165900.tif 000005
【図４】
2018165900.tif 000006
【図５】
2018165900.tif 000007
【図６】
2018165900.tif 000008